(57)【特許請求の範囲】
【請求項１】
前身頃と、後身頃と、前記前身頃と前記後身頃との間に位置する股下部と、前記前身頃と前記後身頃の上縁に形成される胴回り部と、一対の脚開口部と、を有するショーツにおいて、
前記股下部の内面には、前記股下部の両側縁よりも内側に位置する基端部を起点としてショーツの内方に延びる対を成す隆起部が設けられており、
前記隆起部の頂部が前記股下部の前後方向に延びているとともに、前記隆起部の前後端部の頂部が前記両側縁に向けられた状態で、前記頂部が前記股下部の前後端部においてショーツを形成する生地に接合されていることを特徴とするショーツ。
【請求項２】
前記隆起部は、縦長の生地が前記頂部で折り返され、前記生地の両縁部が前記基端部において前記股下部に接合されて形成されている請求項１記載のショーツ。
【請求項３】
前記隆起部は、前記股下部を形成する生地がショーツの内方へ持ち上げられることにより形成されている請求項１記載のショーツ。
【請求項４】
前記隆起部は、防水機能を有する生地で形成されている請求項１ないし３のいずれかに記載のショーツ。
【請求項５】
前記ショーツは、生理用ショーツである請求項１ないし４のいずれかに記載のショーツ。
【発明の詳細な説明】
【０００１】
【発明の属する技術分野】
本発明は、生理用ナプキンなどの吸収性物品を装着するのに適したショーツに係り、特に、股下部に対をなす隆起部が形成されていることを特徴とするショーツに関する。
【０００２】
【従来の技術】
生理用ナプキンの装着に適したショーツとして、実開平６−３１３５号公報や特開平９−３１３５３７号公報などに、股下部の内側に帯状の布が設けられ、この布の前後端部が股下部に接合されているものが開示されている。
【０００３】
この種のショーツでは、生理用ナプキンが前記帯状の布の内面に設置され、前記生理用ナプキンの両側部から突出するウイング部が、前記帯状の布と股下部を形成する布との間に差し込まれ、前記ウイング部の裏面に設けられた感圧接着剤の粘着層が前記帯状の布の外面に粘着されることにより、生理用ナプキンがショーツの股下部に固定される。これにより、生理用ナプキンをショーツの股下部に確実に止めることができ、またウイング部がショーツの股下部の内側に位置することで、外部から生理用ナプキンの前記ウイング部が見えにくくなる効果がある。
【０００４】
【発明が解決しようとする課題】
しかし、前記従来のショーツでは、生理用ナプキンを装着する際に、ショーツの股下部の内側に位置している帯状の布の内面に生理用ナプキンを装着した後に、前記帯状の布をショーツの股下部から離すように持ち上げて、ウイング部をその先端縁が前記帯状の布とショーツの股下部との間に回り込むように差し込んでから、ウイング部の裏面を前記布の外面に粘着させることが必要であり、装着の手間がかかり不便である。
【０００５】
また、ショーツを身体に装着したときに、前記帯状の布で生理用ナプキンが股間部に押し付けられるため、装着中の生理用ナプキンはその中央部が身体側に凸形状となる。よって、生理用ナプキンの吸収体から両側方に漏れた経血がショーツの側方へ漏れる不安がある。
【０００６】
本発明は上記従来の課題を解決するものであり、生理用ナプキンなどの吸収性物品を装着しやすく、また股下部の側方への液漏れの防止効果も期待できるショーツを提供することを目的としている。
【０００７】
【課題を解決するための手段】
本発明は、前身頃と、後身頃と、前記前身頃と前記後身頃との間に位置する股下部と、前記前身頃と前記後身頃の上縁に形成される胴回り部と、一対の脚開口部と、を有するショーツにおいて、
前記股下部の内面には、前記股下部の両側縁よりも内側に位置する基端部を起点としてショーツの内方に延びる対を成す隆起部が設けられており、
前記隆起部の頂部が前記股下部の前後方向に延びているとともに、前記隆起部の前後端部の頂部が前記両側縁に向けられた状態で、前記頂部が前記股下部の前後端部においてショーツを形成する生地に接合されていることを特徴とするものである。
【０００８】
前記ショーツでは、生理用ナプキンなどの吸収性物品の吸収層が、ショーツの股下部において前記隆起部と隆起部との間に位置する。そして、前記吸収性物品が両側部から突出するウイング部を有するものである場合には、このウイング部を、前記隆起部の外壁面から股下部の内面にかけて巻き込むように固着させることで、吸収性物品を簡単に且つ確実に止めることができる。また前記ウイング部の存在がショーツの外部から見えにくくなる。
【０００９】
また、前記吸収性物品の両側部が前記隆起部により持ち上げられるように変形するため、吸収性物品から両側部への液漏れを防止できる効果も期待できる。
【００１０】
例えば、前記隆起部は、縦長の生地が前記頂部で折り返され、前記生地の両縁部が前記基端部において前記股下部に接合されて形成されているものである。
【００１１】
前記隆起部を形成する生地は、ショーツの股下部を形成する生地と同じものであってもよいし、異なる素材で形成されていてもよい。縦長の生地を折り返してショーツの股下部に接合させると、きわめて簡単な工程で前記隆起部を形成できる。
【００１２】
あるいは、前記隆起部は、前記股下部を形成する生地が内面側へ持ち上げられることにより形成されているものである。
【００１３】
ショーツの股下部を形成する生地で前記隆起部を形成すると、ショーツの生地以外に隆起部を形成する生地が不要になり、また隆起部の形成も容易である。
【００１５】
本発明では、前記隆起部と、ショーツの股下部内面との間に両側外方へ向く細長いポケットが形成されているので、生理用ナプキンのウイング部を前記ポケット内に差し込むことにより、ウイング部を前記ポケット内で確実に固定できるようになる。
【００１７】
さらに、前記隆起部は、防水機能を有する生地で形成されていることが好ましい。防水機能を有する隆起部を設けると、経血などが前記隆起部に触れたとしてもショーツが汚れるのを防止できる。
【００１８】
本発明は生理用ショーツとして実施することに好適である。本発明を生理用ショーツとして実施した場合には、ウイング部を前記隆起部の外壁面から股下部の内面にかけて巻き込むように固着させることで、吸収性物品を簡単に且つ確実に止めることができるため、従来の生理用ショーツと比較して、生理用ナプキンを装着しやすい。また、生理用ナプキンの両側部が前記隆起部により持ち上げられるように変形するため、股下部の側方への経血漏れの防止効果も期待できる。
【００１９】
【発明の実施の形態】
図１は本発明のショーツおよび前記ショーツに装着される吸収性物品の一例として生理用ナプキンを示す斜視図、図２は前記ショーツの股下部およびこの股下部に装着されるのに好適な生理用ナプキンを示す斜視図、図３は、図２のＩＩＩ−ＩＩＩ線の断面図であり、（Ａ）は生理用ナプキンが装着されていない状態、（Ｂ）は生理用ナプキンが装着された状態を示す。
【００２０】
以下、本発明のショーツを生理用のショーツを例にとって説明する。ここで言うところの生理用のショーツとは、月経中の女性が経血の漏れを防止することを目的として着用するショーツを意味する。また、ここで言うところの「生理用ナプキン」とは経血を吸収して包含するため、女性が生殖器領域の外側で着用する吸収性物品を意味する。
【００２１】
図示するショーツ１は、その着用時に着用者に当てられる箇所により３つの部分、すなわち、着用者の身体の前方側を覆うための前身頃２、着用者の身体の後方部分を覆うための後身頃３、着用者の股部を覆うための股下部４に大別される。
【００２２】
図１および図２に示されるように、この実施の形態では、前身頃２が１枚の腹当て布５で形成され、後身頃３が２枚の腰当て布６ａ，６ｂで形成されている。前記腹当て布５および腰当て布６ａ，６ｂは、着用者の身体へのフィット感を高めるために伸縮性を有する生地で形成されていることが好ましい。例えば、前記各布５および６ａ，６ｂを形成する生地は、伸縮性を有するポリウレタン繊維の糸と、肌に優しいナイロン繊維の糸とで構成されたトリコットハーフ編みの織布である。
【００２３】
前記後身頃３を形成する腰当て布６ａと６ｂは、後身頃３の中心線７の位置で互いに接合され、前記腰当て布６ａと、前記前身頃２を形成する腹当て布５は、側方接合線８ａの位置で互いに接合され、前記腰当て布６ｂと、前記腹当て布５は、側方接合線８ｂの位置で互いに接合されている。その結果、前記前身頃２と後身頃３とが接合された略筒状体が形成されている。本明細書での前記「接合」とは主に縫合を指すが、これに限定されるものではない。
【００２４】
前記略筒状体の下方には、前記股下部４が、前身頃２の下縁と後身頃３の下縁とを繋ぐように設けられている。そして、股下部４の一方の側縁４ａと腹当て布５の側縁５ａおよび腰当て布６ａの側縁６ａ１により一方の脚開口部１１ａが形成され、股下部４の他方の側縁４ｂと腹当て布５の側縁５ｂおよび腰当て布６ｂの側縁６ｂ１により他方の脚開口部１１ｂが形成されている。また、腹当て布５の上縁５ｃと、腰当て布６ａの上縁６ａ２および腰当て布６ｂの上縁６ｂ２が連続して胴回り部１２が形成されている。
【００２５】
図３（Ａ）に示すように、ショーツの前記股下部４は、股下布１３および、前記股下布１３の内側に重ねられた防水布１４とで形成されている。前記股下布１３および前記防水布１４は、股下部４の両側縁４ａと４ｂに沿って互いに接合されて一体化されている。
【００２６】
図２に示すように、前記股下布１３および前記防水布１４は、前記股下部４の前端部４ｃにおいて、前記前身頃２を形成している腹当て布５の下縁と接合線１５により接合されている。また、前記股下布１３および前記防水布１４は、前記股下部４の後端部４ｄにおいて、前記後身頃３を形成している腰当て布６ａおよび６ｂの下縁と接合線１６によって接合されている。
【００２７】
前記股下布１３は、例えば、前記腹当て布５および腰当て布６ａ，６ｂと同じ生地で形成されている。前記防水布１４は防水機能を有する生地で形成されている。ここで言うところの「防水機能」とは、耐水性（水の通過又は浸透に対して抵抗する性質）を意味する。ムレ防止の観点から防水機能を有する生地は通気性や透湿性を有することが望ましいが、防水機能を有するものであれば特に限定されるものではない。ここで言うところの「通気性」とは空気が流通できる性質のことを指し、「透湿性」とは水蒸気を透過させる性質のことを指す。
【００２８】
前記防水布１４は、公知の好適な生地の表側または裏側に接着剤を介して液不透過性のフィルムが積層されたものや、公知の好適な生地にフィルム用樹脂がコーティングまたはラミネートされて液不透過性の防漏フィルムの皮膜が形成されたものが使用される。具体的には、ポリエステルの鹿の子のニット編みのトリコット生地に透湿性フィルムをラミネート加工して形成された防水布などが考えられる。上記防水布１４においてはさらに、ラミネートされたフィルム面を保護するために、トリコット生地の周辺部分を縫合して生地とフィルムとを一体化することが好ましい。
【００２９】
図２に示すように、前記脚開口部１１ａの周縁部には、フリルやレースなどの装飾布１７ａが接合されている。この装飾布１７ａは、前記股下部４の側縁４ａ、腹当て布５の側縁５ａ、および腰当て布６ａの側縁６ａ１に沿って接合されている。同様に脚開口部１１ｂの周縁部にも前記装飾布１７ｂが接合されている。脚開口部１７ｂでは、股下部４の側縁４ｂ、腹当て布５の側縁５ｂおよび腰当て布６ｂの側縁６ｂ１に沿って前記装飾布１７ｂが接合されている。また、前記脚開口部１１ａおよび１１ｂでは、前記装飾布１７ａ，１７ｂの内側において前記脚開口部１１ａおよび１１ｂの全周に渡って弾性バンドが接合されており、この弾性バンドによって、前記脚開口部１１ａと１１ｂが装着者の大腿部に締め付けられるようになっている。
【００３０】
ここで、股下部４の側縁４ａおよび４ｂは、前記装飾布１７ａ，１７ｂが接合されていないと仮定したときに、前記股下布１３の両側縁部分を意味している。
【００３１】
図１に示すように、前記胴回り部１２にも、その周縁部全周に渡ってフリルやレースなどの装飾布１７ｃが取付けられている。この装飾布１７ｃは、前記腹当て布５の上縁５ｃおよび、腰当て布６ａ，６ｂの上縁６ａ２，６ｂ２に接合されている。そして、前記腹当て布５の上縁５ｃおよび、腰当て布６ａ，６ｂの上縁６ａ２，６ｂ２には、装着者の胴回りを締め付ける弾性バンドが取付けられている。
【００３２】
前記股下部４の内面には、対をなす隆起部１８ａと１８ｂが設けられている。図３（Ａ）に示すように、前記隆起部１８ａと１８ｂは、前記股下部４の幅寸法Ｗ１を二分する中心線Ｏに対して左右対称に配置されており、またその構造も左右対称である。前記隆起部１８ａと１８ｂは、共に布１９により形成されている。この布１９は細長の短冊状であり、その幅寸法を二分する中心線に沿って２枚重ねに折られ、縁部１９ａと縁部１９ｂが揃えられている。
【００３３】
前記布１９は、股下部４の両側縁４ａ，４ｂから内側へ所定距離Ｗ２を開けた位置において、股下部４の防水布１４の内面に接合されており、この接合部分が隆起部１８ａ，１８ｂの基端部１８ａ１，１８ｂ１となっている。また布１９の前記両縁部１９ａ，１９ｂは股下部４の両側縁４ａ，４ｂに向けられている。前記布１９が折り返されている自由端は股下部４の内側に位置し、前記隆起部１８ａ，１８ｂの頂部１８ａ２，１８ｂ２を形成している。
【００３４】
図２に示すように、前記隆起部１８ａ，１８ｂは、前後方向に互いに平行となるように配置されている。よって前記隆起部１８ａの基端部１８ａ１および頂部１８ａ２と、隆起部１８ｂの基端部１８ｂ１および頂部１８ｂ２は、互いに平行で且つ股下部４の前後方向へ直線的に延びている。図２に示すように、この実施の形態では、隆起部１８ａの前端部１８ａ３と隆起部１８ｂの前端部１８ｂ３が、前記接合線１５によってショーツを形成している生地に接合されており、隆起部１８ａの後端部１８ａ４と隆起部１８ｂの後端部１８ｂ４も、前記接合線１６によってショーツを形成している生地に接合されている。
【００３５】
前記隆起部１８ａの前端部１８ａ３と隆起部１８ｂの前端部１８ｂ３では、前記基端部１８ａ１，１８ｂ１から頂部１８ａ２，１８ｂ２までの全幅が前記接合線１５により接合されており、隆起部１８ａの後端部１８ａ４と隆起部１８ｂの後端部１８ｂ４においても、前記基端部１８ａ１，１８ｂ１から頂部１８ａ２，１８ｂ２までの全幅が前記接合線１６により接合されている。
【００３６】
よって、隆起部１８ａの頂部１８ａ２は、股下部４の側縁４ａに向けられ、隆起部１８ｂの頂部１８ｂ２は、股下部４の側縁４ｂに向けられて、隆起部１８ａと隆起部１８ｂは、頂部１８ａ２，１８ｂ２どうしが互いに逆向きとなって、股下部４の内面に重なるように倒れた状態で設置されている。その結果、図３（Ａ）に示すように、隆起部１８ａと１８ｂの内壁面１８ａ５，１８ｂ５は装着者の肌に向けられ、隆起部１８ａと１８ｂの外壁面１８ａ６，１８ｂ６は、股下部４の内面に対面し、前記外壁面１８ａ６，１８ｂ６と、前記股下部４の内面との間にポケット２０ａ，２０ｂが形成されている。
【００３７】
前記隆起部１８ａ，１８ｂを形成している布１９は、腹当て布５および腰当て布６ａ，６ｂと同じ生地で形成されていてもよいが、前記防水布１４と同等の防水機能を有する生地、または疎水性の生地で形成されていることが好ましい。
【００３８】
図１、図２には、前記ショーツ１の股下部４の内側に装着するのに適した吸収性物品の一例として生理用ナプキン２１が斜視図で示され、図３（Ｂ）では、前記生理用ナプキン２１が股下部４に装着された状態が断面図で示されている。
【００３９】
前記生理用ナプキン２１は、液体不透過性のバックシート２２と、前記バックシート２２の上に設置された吸収体２３と、前記吸収体２３を覆う液透過性のトップシート２４を有している。前記バックシート２２は通気性および透湿性を有する樹脂フィルムなどで形成されており、前記吸収体２３は粉砕パルプと高吸収性樹脂（ＳＡＰ）などで形成されている。また前記トップシート２４は、液透過性の不織布や多数の開孔を有する樹脂フィルムなどで形成されている。
【００４０】
前記生理用ナプキン２１では、両側部から側方へ突出するウイング部２５ａ，２５ｂが一体に形成されている。前記ウイング部２５ａ，２５ｂは、前記バックシート２２が両側方へ延出して形成され、または前記バックシート２２に他の疎水性シートが積層された構造で両側方へ延出して形成されている。
【００４１】
図２に示すように、前記生理用ナプキン２１では、吸収体２３が設けられている中央部分の裏面において、前記バックシート２２の外面に感圧接着剤による粘着層２６が設けられており、前記ウイング部２５ａ，２５ｂの裏面においても前記バックシート２２の外面に感圧接着剤による粘着層２７ａ，２７ｂが設けられている。
【００４２】
前記生理用ナプキン２１をショーツ１の股下部４に装着する際には、前記生理用ナプキン２１の中央部分の裏面に設けられた粘着層２６を、股下部４において、主に隆起部１８ａと１８ｂの間に現れている前記防水布１４の表面に粘着させる。そして、図３（Ｂ）に示すように、ウイング部２５ａ，２５ｂを、隆起部１８ａ，１８ｂの外壁面１８ａ６，１８ｂ６と、股下部４内面との間に形成されたポケット２０ａ，２０ｂ内に押し込む。このとき、ウイング部２５ａ，２５ｂが中腹部２５ａ１，２５ｂ２で折り返されるように変形して前記ポケット２０ａ，２０ｂ内に挟み込まれ、ウイング部２５ａ，２５ｂの裏面に設けられた粘着層２７ａ，２７ｂが、前記隆起部１８ａ，１８ｂの外壁面１８ａ６，１８ｂ６および、基端部１８ａ１，１８ｂ１よりも外方に位置する防水布１４の表面の双方へ固着させられる。
【００４３】
図３（Ｂ）に示すように、生理用ナプキン２１が股下部４の内面に装着された状態においては、吸収体２３が、隆起部１８ａの頂部１８ａ２と隆起部１８ｂの頂部１８ｂ２との対向間隔内に収まることが好ましく、また、ウイング部２５ａ，２５ｂの外縁２５ａ２，２５ｂ２が、前記股下部４の両側縁４ａ，４ｂから側部外方へ突出しないことが好ましい。
【００４４】
図１に示すように、生理用ナプキン２１のウイング部２５ａ，２５ｂの外縁２５ａ２，２５ｂ２間の幅寸法を最大でＷａとし、ショーツ１の股下部４の側縁４ａ，４ｂ間の幅寸法の最小値をＷ１とし、隆起部１８ａと１８ｂの基端部１８ａ１，１８ｂ１から頂部１８ａ２，１８ｂ２までの幅寸法をＷ４としたときに、ほぼＷａ＜Ｗ１＋２・Ｗ４の関係を満たせば、前記ウイング部２５ａ，２５ｂの外縁２５ａ２，２５ｂ２が、股下部４の側縁４ａ，４ｂから外方へ突出しないようにできる。このように構成すると、ショーツの股下部４の内側に生理用ナプキン２１が装着されているのがショーツ１の外部から見えにくくなる。しかも、生理用ナプキン２１は、中央部分の裏面に設けられた粘着層２６、およびウイング部２５ａ，２５ｂの裏面に設けられた粘着層２７ａ，２７ｂの双方により、前記股下部４の内側にしっかり固定されることになり、着用中の生理用ナプキン２１が股下部４において前後左右方向へ位置ずれしにくくなる。
【００４５】
一般に生理用ナプキン２１の前記幅寸法の最大値Ｗａは１３０〜１６０ｍｍ程度であるため、前記股下部４の寸法としては、前記幅寸法Ｗ１が６０〜１００ｍｍの範囲で、前記隆起部１８ａ，１８ｂの前記幅寸法Ｗ４が１５〜２５ｍｍの範囲であることが好ましい。
【００４６】
次に、生理用ナプキン２１の前記ウイング部２５ａ，２５ｂを除いた部分の幅寸法を最大でＷｂとし、前記隆起部１８ａと１８ｂが股下部４の内面にほぼ完全に倒された状態での、隆起部１８ａの頂部１８ａ２と隆起部１８ｂの頂部１８ｂ２との間隔をＷ５としたときに、Ｗｂ＜Ｗ５であることが好ましい。このように構成すると、吸収体２３を有する生理用ナプキン２１のウイング部２５ａ，２５ｂを除いた部分が、前記頂部１８ａ２，１８ｂ２の外側へはみ出すことがなく、生理用ナプキン２１の両側部から股下部４側へ経血が漏れにくくなる。
【００４７】
また、図３（Ｂ）に示すように、生理用ナプキン２１の左右両側部は、前記隆起部１８ａ，１８ｂに乗り上がった状態で股下部４の内側に装着されているため、生理用ナプキン２１の両側部が股下部４から離れるようにわずかに持ち上げられる。よって装着中に吸収体２３で吸収されきれなかった経血が生理用ナプキン２１の側方へ流れても、前記変形部分で経血の流れを止めることができ、経血の横漏れを防止しやすい。
【００４８】
図３（Ｂ）に示すように両側部が持ち上げられるように変形した状態で生理用ナプキン２１が安定して股下部４の内側に装着されるためには、前記中心線Ｏから、隆起部１８ａ，１８ｂの基端部１８ａ１，１８ｂ１までの距離Ｗ３が、前記股下部４の最小寸法Ｗ１の１／４以上で且つ、前記頂部１８ａ２，１８ｂ２間の間隔Ｗ５が、前記寸法Ｗ１以下であることが好ましい。
【００４９】
具体的には、前記Ｗ３は１５〜２５ｍｍの範囲が好ましく、さらに前記Ｗ５は６０〜１００ｍｍの範囲であることが好ましい。
【００５０】
次に、図４は参考例であり、図５は図１ないし図３に示す第１の実施の形態の変形例を示しており、図２と同様にショーツの股下部４を内側から示している。
【００５１】
図４に示す参考例では、ショーツ１Ａの股下部４の防水布１４の内面に、対を成す隆起部１８ａＡと１８ｂＡが前後にほぼ平行に設けられている。各隆起部１８ａＡと１８ｂＡの断面構造は図３（Ａ）に示すものと同じであり、布１９が頂部１８ａ２，１８ｂ２において折り返されて２枚重ね構造となっており、基端部１８ａ１，１８ｂ１において前記防水布１４に接合されている。
【００５２】
ただし、図４に示す参考例では、前記隆起部１８ａＡと１８ｂＡの前端部１８ａ３，１８ｂ３と後端部１８ａ４，１８ｂ４との間の長さが、股下部４の前端部４ｃと後端部４ｄとの間の長さよりも短くなっており、前記前端部１８ａ３，１８ｂ３は股下部４の前端部４ｃよりも内側に位置し、前記後端部１８ａ４，１８ｂ４も、股下部４の後端部４ｄよりも内側に位置している。そして、前記前端部１８ａ３，１８ｂ３と後端部１８ａ４，１８ｂ４では、基端部１８ａ１，１８ｂ１のみが前記防水布１４に接合されており、頂部１８ａ２，１８ｂ２が防水布１４から離れて自由状態となっている。
【００５３】
図４に示す参考例においても、前記隆起部１８ａＡと１８ｂＡが生理用ナプキン２１のウイング部２５ａ，２５ｂの幅寸法よりも長ければ、図３（Ｂ）と同様の状態で、生理用ナプキン２１を股下部４の内側に装着することができる。
【００５４】
図５に示す変形例、ショーツ１Ｂの股下部４に、図２および図３に示すのと近似した形状の隆起部１８ａＢ，１８ｂＢが設けられている。この隆起部１８ａＢ，１８ｂＢの断面構造は図３（Ｂ）と同じであり、また隆起部１８ａＢ，１８ｂＢの前端部１８ａ３，１８ｂ３では、頂部１８ａ２，１８ｂ２が接合線１５においてショーツの内面に固定されている。また隆起部１８ａＢ，１８ｂＢの後端部１８ａ４，１８ｂ４においても、頂部１８ａ２，１８ｂ２が前記接合線１６においてショーツの内面に固定されている。
【００５５】
ただし、図５に示す変形例では、隆起部１８ａＢ，１８ｂＢの基端部１８ａ１，１８ｂ１と頂部１８ａ２，１８ｂ２とが、股下部４の両側縁４ａ，４ｂとほぼ同じ曲率の湾曲形状となっている。図５に示す変形例において股下部４の内側に生理用ナプキン２１が装着されると、図３（Ｂ）に示したように、ナプキンの両側部が隆起部１８ａＢ，１８ｂＢにより持ち上げられて、この持ち上げられた部分が液の横漏れ防止機能を発揮する。そして、図５に示す変形例では、前記生理用ナプキン２１の両側部の持ち上げられている領域が、隆起部１８ａＢ，１８ｂＢの湾曲形状に沿って、股下部４の前方と後方へ向うにしたがってその間隔が徐々に広くなる。したがって、隆起部１８ａＢ，１８ｂＢの存在が、装着者の股間部に違和感を与えにくくなる。
【００５６】
図６ないし図８は本発明の第２の実施の形態のショーツ１Ｃを示している。図６はショーツ１Ｃの股下部４を内側から示す斜視図、図７は図６のＶＩＩ矢視の側面図、図８は図６のＶＩＩＩ−ＶＩＩＩ線の断面図である。なお、図６ないし図８では一対の隆起部１８ａＣ，１８ｂＣのうちの一方の隆起部１８ｂＣのみを示している。他方の隆起部１８ａＣは前記隆起部１８ｂＣと左右対称の構造である。
【００５７】
図６ないし図８に示す実施の形態では、布１９により形成されている隆起部１８ｂＣの構造が図３（Ａ）に示した隆起部１８ｂと同じであり、また隆起部１８ｂＣの前端部１８ｂ３と後端部１８ｂ４は、基端部１８ｂ１から頂部１８ｂ２までの全幅において前記接合線１５と１６の部分でショーツの内面に接合されている。
【００５８】
ただし、第２の実施の形態では、前記隆起部１８ｂＣの頂部１８ｂ２の内側に１本または複数本の弾性部材２８が接着などの手段で固定されている。この弾性部材２８は前後方向に１．２倍から２倍程度伸ばした状態で前記隆起部１８ｂＣに接合されており、弾性部材２８の前後端部は前記接合線１５と１６の部分でショーツに固定されている。
【００５９】
ショーツ１Ｃが身体に装着されると、図７に示すように股下部４が身体の股間部に沿うように下向きに凸形状となるように湾曲する。このとき、前記弾性部材２８の弾性収縮力によって、図８に示すように、隆起部１８ｂＣの頂部１８ｂ２が股下部４の内面から離れ、前記隆起部１８ｂＣが股下部４の内面から立ち上がる。よって、生理用ナプキン２１を股下部４の内側に装着したときに、前記隆起部１８ｂＣ（および１８ａＣ）によって、生理用ナプキン２１の両側部が、股下部４の内面から離れるように変形しやくなる。よって生理用ナプキン２１の左右両側部への経血の漏れを防止しやすくなる。
【００６０】
図９は本発明の第３の実施の形態の生理用ショーツ１Ｄの股下部４を断面で示している。
【００６１】
図９に示す実施の形態では、ショーツ１Ｄの股下部４において内側に重ねられている防水布１４の左右両側部がタック状にたくり上げられて、前記防水布１４の一部によって隆起部１８ａＤと隆起部１８ｂＤが形成されている。前記隆起部１８ａＤと１８ｂＤでは、タック状の前記防水布１４の折り返し部が頂部１８ａ２Ｄ，１８ｂ２Ｄとなり、基端部１８ａ１Ｄ，１８ｂ１Ｄでは、防水布１４の一部が互いに寄せられた状態で縫合されて、股下布１３の内面に固定されている。そして、前記隆起部１８ａＤ，１８ｂＤの前端部と後端部は、股下部４の前端部の接合線１５と後端部の接合線１６において、基端部１８ａ１Ｄ，１８ｂ１Ｄから頂部１８ａ２Ｄ，１８ｂ２Ｄまでの全幅で接合されている。よって、隆起部１８ａＤと１８ｂＤは、頂部１８ａ２Ｄ，１８ｂ２Ｄが側縁４ａ，４ｂに向けられた状態に倒されている。
【００６２】
この実施の形態では、股下部４の内面に設けられた防水布１４によって、隆起部１８ａＤ，１８ｂＤが形成され、股下部４の内面が連続した防水面となっているため、ショーツの股下部４の外面への経血の滲みを効果的に防止できる。また、隆起部を股下部４を形成する生地と別の生地を用意する必要が無く、製造工程を簡単にできる。
【００６３】
なお、股下部４の内面に防水布１４が設けられていない場合には、前記股下布１３をタック状に変形させて前記隆起部１８ａＤ，１８ｂＤを形成してもよい。
【００６４】
前記のように本発明のショーツに設けられた前記隆起部１８ａ，１８ｂ，１８ａＡ，１８ｂＡ，１８ａＢ，１８ｂＢ，１８ａＣ，１８ｂＣ，１８ａＤ，１８ｂＤは、いずれも防水機能を有する生地で形成されることが好ましく、これによりショーツの股下布１３などが経血で汚れるのを防止しやすい。ただし、前記隆起部が防水機能を有しない生地で形成されていてもよい。
【００６５】
なお、前記ショーツでは、ウイング部２５ａ，２５ｂを有しない形状の生理用ナプキンを股下部４に装着して使用することが可能である。この場合、生理用ナプキンの裏面に設けられた粘着層が、隆起部と隆起部との間で防水布１４の内面に固着される。この場合も左右に位置する隆起部によって、生理用ナプキンの両側部が股下部の内面から離れるように持ち上げられるため、左右方向への経血の漏れを防止しやすい。
【００６６】
また本発明のショーツは、薄型の失禁用尿パッドを股下部４に取付けるためのものとしても使用可能である。
【００６７】
【発明の効果】
以上に説明したように、本発明のショーツでは、例えばウイング部を有する吸収性物品を股下部に装着したときに、ウイング部を簡単に固着させることができ、ウイング部が外部から見えにくい状態で、前記吸収性物品を股下部に確実に止めることが可能である。また隆起部によって吸収性物品を両側部が股下部の内面から離れる方向へ変形しやすいため、液の横漏れを防止する効果も期待できる。
【図面の簡単な説明】
【図１】本発明の実施の形態の生理用ショーツおよび吸収性物品の一例として生理用ナプキンを示す斜視図、
【図２】前記ショーツの股下部の内面およびウイング部を有する生理用ナプキンを示す斜視図、
【図３】図２のＩＩＩ−ＩＩＩ線の断面図であり、（Ａ）は生理用ナプキンが装着されていない状態、（Ｂ）は生理用ナプキンが装着されている状態を示す、
【図４】  参考例を示す股下部の斜視図、
【図５】  第１の実施の形態の変形例を示す股下部の斜視図、
【図６】本発明の第２の実施の形態を示すものであり、股下部を内側から示す斜視図、
【図７】図６のＶＩＩ矢視の側面図、
【図８】図６のＶＩＩＩ−ＶＩＩＩ線の断面図、
【図９】本発明の第３の実施の形態を示す股下部の断面図、
【符号の説明】
１，１Ａ，１Ｂ，１Ｃ，１Ｄ  ショーツ
２  前身頃
３  後身頃
４  股下部
４ａ，４ｂ  股下部の側縁
４ｃ  股下部の前端部
４ｄ  股下部の後端部
１１ａ，１１ｂ  脚開口部
１２  胴回り部
１３  股下布
１４  防水布
１５，１６  接合線
１８ａ，１８ａＡ，１８ａＢ，１８ａＣ，１８ａＤ  隆起部
１８ｂ，１８ｂＡ，１８ｂＢ，１８ｂＣ，１８ｂＤ  隆起部
１９  布
１８ａ１，１８ｂ１  基端部
１８ａ２，１８ｂ２  頂部
１８ａ５，１８ｂ５  内壁面
１８ａ６，１８ｂ６  外壁面
２１  生理用ナプキン
２５ａ，２５ｂ  ウイング部
２６，２７ａ，２７ｂ  粘着層
【図１】
0003949393.tif 000002
【図２】
0003949393.tif 000003
【図３】
0003949393.tif 000004
【図４】
0003949393.tif 000005
【図５】
0003949393.tif 000006
【図６】
0003949393.tif 000007
【図７】
0003949393.tif 000008
【図８】
0003949393.tif 000009
【図９】
0003949393.tif 000010